(57)【要約】      （修正有）【課題】装着時に展開方向を容易に把握可能とすることにより、装着しやすくし、且つ鼻部分に対応し被覆する開口部分の装着感の向上を図るフェイスマスクシートを提供する。【解決手段】化粧用美容液を含侵したフェイスマスクシートの鼻部分に対応し被覆する開口部分にシート水平方向の中心位置及び垂直方向を的確に明示するスリット６を設ける。スリットは一辺の長さが２８ｍｍ以内の垂直線であり、スリットによりフェイスマスクシートの鼻部分に対応し被覆する開口部分下部が左右に別れないようにする。【選択図】図１
0003219448.tif 000002
【実用新案登録請求の範囲】
【請求項１】
化粧用美容液を含侵したフェイスマスクシートの鼻部分に対応し被覆する開口部分にシート水平方向の中心位置及び垂直方向を的確に明示するスリットを設けることにより、フェイスマスクシート装着時に使用者が意図した装着位置に装着することを容易に行い、且つ鼻部分に対応し被覆する開口部分の装着感の向上を可能とする鼻部装着補助ガイドスリット付フェイスマスクシート。
【請求項２】
前記スリットは一辺の長さが２８ｍｍ以内の垂直線であり、そのスリットによりフェイスマスクシートの鼻部分に対応し被覆する開口部分下部が左右に別れないようにすることを特徴とする、請求項１記載の鼻部装着補助ガイドスリット付フェイスマスクシート。
【考案の詳細な説明】
【技術分野】
【０００１】  本考案は鼻部装着補助ガイド及び鼻部装着感を向上するスリット部を設けた、フェイスマスクシートに関するものである。
【背景技術】
【０００２】  化粧用美容液を含侵したフェイスマスクシート装着時に使用者が意図した装着位置に装着する際、先ず目や鼻及び口に対応する開口部から位置決めをした上でフェイスマスクシート本体の周囲に設けた複数の位置調整用スリットを調整し顔全体にフェイスマスクシートを展開するが、フェイスマスクシートの水平方向の中心位置及び垂直方向が判かりにくいため装着位置を的確に決定することに煩わしさを伴っていた。また、鼻部分に対応し被覆する部分が使用者の鼻の形状によっては充分な装着感を得られない場合があった。
【先行技術文献】
【特許文献】
【０００３】
【特許文献１】特許５３４９７０２号
【特許文献２】特開平０８−３８２５１号
【特許文献３】実登３２１８０５５号
【考案の概要】
【考案が解決しようとする概要】
【０００４】  化粧用美容液を含侵したフェイスマスクシート装着時に使用者が意図した装着位置に装着する際、先ず目や鼻及び口に対応する開口部から位置決めをした上で顔全体にフェイスマスクシートを展開し、その後フェイスマスクシートの周囲に設けた複数の装着位置調整用スリットを調整するが、フェイスマスクシートの水平方向の中心位置及び垂直方向が判かりにくいため装着位置を的確に決定することに煩わしさを伴っていた。本考案は鼻部装着補助ガイド用のスリット部を設けることにより、フェイスマスクシート装着時の煩わしさを軽減し、且つ鼻部分に対応し被覆する開口部分の装着感の向上をしようとするものである。
【課題を解決するための手段】
【０００５】  フェイスマスクシート装着時に使用者が意図した装着位置に装着することを容易に行うことが可能となるように、且つ鼻部分に対応し被覆する開口部分の装着感が向上するように、フェイスマスクシートの鼻部分に対応し被覆する開口部分にシート水平方向の中心位置及び垂直方向を的確に明示する一辺の長さが２８ｍｍ以内の垂直線のスリットを設ける。
【０００６】  図２の２は従来の一般的なフェイスマスクシートの装着位置調整用スリットであるが、フェイスマスクシート水平方向の中心位置及び垂直方向を的確に明示することはできていない。また、図３の６´のようにフェイスマスクシートの鼻部分に対応し被覆する開口部分のシート水平方向の中心位置及び垂直方向を的確に明示する垂直線のスリットの一辺の長さが２８ｍｍ以上の場合やフェイスマスクシートの鼻部分に対応し被覆する開口部分下部がシート水平方向の中心位置及び垂直方向を的確に明示する垂直線のスリットにより左右に別れてしまう場合には、フェイスマスクシートの鼻部分に対応し被覆する開口部分の強度に問題が生じてしまう。さらに、図４の６´´のようにフェイスマスクシートの鼻部分に対応し被覆する開口部分のシート水平方向の中心位置及び垂直方向を的確に明示する垂直線を単なるスリットではなく切欠き部として大きく確保した場合、切欠き部分はフェイスマスクシート本体が使用者の鼻部分を被覆する面積が減少し美容液が行き渡らず充分な美容効果を得ることができないだけではなく、フェイスマスクシートの鼻部分に対応し被覆する開口部分の強度に問題が生じてしまう。
そのためフェイスマスクシート本体が鼻部分に対応し被覆する開口部分を被覆する範囲を可能な限り広く確保し、且つフェイスマスクシート水平方向の中心位置及び垂直方向を的確に明示するため、さらには、鼻部分に対応し被覆する開口部分の装着感を向上させるために、フェイスマスクシート本体の鼻部分に対応し被覆する開口部分に垂直に設けるスリットは一辺の長さが２８ｍｍ以内とし、そのスリットによりフェイスマスクシートの鼻部分に対応し被覆する開口部分下部が左右に別れないようにする。
【考案の効果】
【０００７】  化粧用美容液を含侵したフェイスマスクシートの鼻部分に対応し被覆する開口部分にシート水平方向の中心位置及び垂直方向を的確に明示するスリットを設けることにより、フェイスマスクシート装着時に使用者が意図した装着位置に装着することを容易に行い、且つ鼻部分に対応し被覆する開口部分の装着感の向上を可能とする鼻部装着補助ガイドスリットを設けたことにより、化粧用美容液を含侵したフェイスマスクシート装着時にフェイスマスクシートの展開方向を把握することが容易となったため、フェイスマスクシートの装着時の煩わしさが軽減する。また、化粧用美容液を含侵したフェイスマスクシートの鼻部分に対応し被覆する開口部分の装着感が向上する。
【図面の簡単な説明】
【０００８】
【図１】本鼻部装着補助ガイドスリット付フェイスマスクシートの正面図である。
【図２】従来の一般的なフェイスマスクシートの正面図である。
【図３】フェイスマスクシートの鼻部分に対応し被覆する開口部分のシート水平方向の中心位置及び垂直方向を的確に明示する垂直線のスリットにより、フェイスマスクシートの鼻部分に対応し被覆する開口部分下部が左右に別れてしまい充分な強度や装着感を得られないフェイスマスクシートの一例の正面図である。
【図４】フェイスマスクシートの鼻部分に対応し被覆する開口部分のシート水平方向の中心位置及び垂直方向を的確に明示する部分を垂直線のスリットではなく切欠き部として設けたため、フェイスマスクシートの鼻部分に対応し被覆する開口部分の充分な強度やフェイスマスクシート本体が使用者の鼻部分を被覆する面積が減少し鼻部分に美容液が行き渡らず充分な美容効果を得ることができないフェイスマスクシートの一例の正面図である。
【考案を実施するための形態】
【０００９】  化粧用美容液を含侵したフェイスマスクシートの鼻部分に対応し被覆する開口部分にシート水平方向の中心位置及び垂直方向を的確に明示するスリットを設けるが、鼻部分に対応し被覆する面積を可能な限り確保し美容効果を得るため、また同時に化粧用美容液を含侵したフェイスマスクシート本体の強度を可能な限り損なわないようにするために、スリットは一辺の長さが２８ｍｍ以内の垂直線とし、そのスリットによりフェイスマスクシートの鼻部分に対応し被覆する開口部分下部が左右に別れないようにする。
【実施例】
【００１０】  以下、添付図１に従って一実施例を説明する。また、従来のフェイスマスクシートとの比較のために図２には従来の一般的な形状のフェイスマスクシートの図面を添付する。
図３は本件スリットによりフェイスマスクシートの鼻部分に対応し被覆する開口部分下部が左右に別れてしまい、フェイスマスクシート本体の強度が充分に確保できない鼻部装着補助ガイドスリットが入ったフェイスマスクシートの一例。図４は鼻部装着補助ガイド部分を切欠きにしたため、切欠き部分に美容液が行き渡らず充分な美容効果を得ることができず、さらにはフェイスマスクシート本体の強度が充分に確保できない鼻部装着補助ガイド部を持つフェイスマスクシートの一例である。
１は化粧用美容液を含侵したフェイスマスクシート本体、２は使用者がそれぞれの顔の大きさや形状に合わせてフェイスマスクシート本体の装着位置を調整するための装着位置調整用スリット、３は目に対応する開口部、４は鼻に対応する開口部、５は口に対応する開口部、６は本考案で鼻部分に対応し被覆する開口部分にシート水平方向の中心位置及び垂直方向を的確に明示し、且つ鼻部分に対応し被覆する開口部分の装着感の向上を可能とする鼻部装着補助ガイドスリット部分である。【００１１】  本考案の一実施例は上記の如き構成からなるものであり、使用者が化粧用美容液を含侵したフェイスマスクシートの装着時に、先ず６の鼻部分に対応し被覆する開口部分にシート水平方向の中心位置及び垂直方向を的確に明示し、且つ鼻部分に対応し被覆する開口部分の装着感の向上を可能とする鼻部装着補助ガイドスリットを目印として位置決めをし、その後３、４、５の目や鼻及び口に対応する開口部の位置決めをした上で顔全体にフェイスマスクシートを展開し、その後２のフェイスマスクシートの周囲に設けた複数の装着位置調整用スリットを調整することにより、使用者が意図した装着位置に装着することを容易に行うことが可能となり、且つ鼻部分に対応し被覆する開口部分の装着感が向上する。
【符号の説明】
【００１２】  １  化粧用美容液を含侵したフェイスマスクシート本体
２  装着位置調整用スリット
３  目に対応する開口部
４  鼻に対応する開口部
５  口に対応する開口部
６  鼻部装着補助ガイドスリット
【図１】
0003219448.tif 000003
【図２】
0003219448.tif 000004
【図３】
0003219448.tif 000005
【図４】
0003219448.tif 000006